(57)【要約】【課題】複数の受信機間で一意的な識別子を共有するための方法および装置【解決手段】ネットワーク・コントローラ（１４０）は、少なくとも１つの一意的な識別子と、この一意的な識別子がワイヤレス受信機（１２０）の割り当てられた各キャリアに対して有効である、少なくとも１つの対応するタイム・スロットとを確定することができる。ネットワーク・コントローラは、これを行う際に、少なくとも１つの一意的な識別子と、この一意的な識別子がワイヤレス受信機の割り当てられた各キャリアに対して有効である、少なくとも１つの対応するタイム・スロットとを決定し、次いで、一意的な識別子、タイム・スロット、およびキャリアの指示をワイヤレス受信機に送る。ワイヤレス受信機は、この指示を受信し、次いで指示された少なくとも１つの対応するタイム・スロットの間に、少なくとも１つの一意的な識別子を用いて、少なくとも１つのチャネルを監視する。【選択図】      図１
2006345525.tif 000002
【特許請求の範囲】
【請求項１】
一意的な識別子および対応するタイム・スロットを、受信機のために確定する方法であって、
ワイヤレス受信機に対して利用可能な複数の一意的な識別子、タイム・スロットの組み合わせから、少なくとも１つの一意的な識別子および少なくとも１つの対応するタイム・スロットを決定すること、
前記少なくとも１つの識別子および前記少なくとも１つの対応するタイム・スロットの指示を前記ワイヤレス受信機に送ること、
を備える方法。
【請求項２】
請求項１に記載の方法であって、
前記ワイヤレス受信機に対して利用可能な複数の一意的な識別子、タイム・スロットの組み合わせから、少なくとも１つのバックアップの一意的な識別子および少なくとも１つの対応するタイム・スロットを決定すること、
前記少なくとも１つのバックアップの一意的な識別子および前記少なくとも１つのバックアップのタイム・スロットの指示を前記ワイヤレス受信機に送ること、
を備える方法。
【請求項３】
請求項１に記載の方法であって、更に、
前記少なくとも１つの一意的な識別子および前記少なくとも１つの対応するタイム・スロットに対応する少なくとも１つのキャリアを決定すること、
前記少なくとも１つのキャリアの指示を前記ワイヤレス受信機に送ること、
を備える方法。
【請求項４】
請求項３に記載の方法において、前記少なくとも１つのキャリアは、固定帯域幅を占有するチャネルを含む、方法。
【請求項５】
一意的な識別子および対応するタイム・スロットを受信機において採用する方法であって、
少なくとも１つの一意的な識別子および少なくとも１つの対応するタイム・スロットの指示を受信すること、
前記指示された少なくとも１つの対応するタイム・スロットの間に、前記少なくとも１つの一意的な識別子を用いて、少なくとも１つのチャネルを監視すること、
を備える方法。
【請求項６】
請求項５に記載の方法であって、更に、
前記少なくとも１つの一意的な識別子および前記少なくとも１つの対応するタイム・スロットに対応する少なくとも１つのキャリアの指示を受信すること、
を備え、前記指示された少なくとも１つの対応するタイム・スロットの間に、前記少なくとも１つの一意的な識別子を用いて、少なくとも１つのチャネルを監視することは、前記少なくとも１つのキャリア上において前記少なくとも１つのチャネルを監視することを含む、方法。
【請求項７】
請求項６に記載の方法において、前記指示された少なくとも１つの対応するタイム・スロットの間に、前記少なくとも１つの一意的な識別子を用いて、少なくとも１つのチャネルを監視することは、更に、前記キャリアおよびタイム・スロットの組み合わせに対する少なくとも１つの一意的な識別子を収容するパケットを処理することを含む、方法。
【請求項８】
請求項５に記載の方法であって、更に、
前記指示された少なくとも１つの対応するタイム・スロットのタイム・スロット以外の少なくとも１つのタイム・スロットの間に、電力削減モードに入ること、
を備える方法。
【請求項９】
ネットワーク・コントローラであって、
ネットワーク・インターフェースと、
前記ネットワーク・インターフェースに通信状態で結合されている演算装置であって、
ワイヤレス受信機に利用可能な複数の一意的な識別子、タイム・スロットの組み合わせから、少なくとも１つの一意的な識別子および少なくとも１つの対応するタイム・スロットを決定するように構成され、かつ、
前記ネットワーク・インターフェースを通じて、前記少なくとも１つの一意的な識別子および前記少なくとも１つの対応するタイム・スロットの指示を前記ワイヤレス受信機に送るように構成されている、演算装置と、
を備えるネットワーク・コントローラ。
【請求項１０】
ワイヤレス端末であって、
送受信機と、
前記送受信機に通信状態で結合されている演算装置であって、
前記送受信機を通じて、少なくとも１つの一意的な識別子および少なくとも１つの対応するタイム・スロットの指示を受信するように構成され、かつ、
前記指示された少なくとも１つの対応するタイム・スロットの間に、前記送受信機を用いて、前記少なくとも１つの一意的な識別子を用いて少なくとも１つのチャネルを監視するように構成されている、演算装置と、
を備えるワイヤレス端末。
【発明の詳細な説明】
【技術分野】
【０００１】
関連出願に対する引用
本願は、２００５年６月８日に出願された、「複数の受信機間で一意的な識別子を共有するための装置および方法」と題された米国仮特許出願第６０／６８８５７８号の優先権を主張する。これは、本願と同じ譲受人が所有し、その内容はここで引用したことにより、その全体が本願にも含まれるものとする。
【０００２】
本発明は、一般的には、通信システムに関し、より詳細には、通信システムにおいて複数の受信機間で一意的な識別子を共有するための方法および装置に関する。
【背景技術】
【０００３】
現在、ワイヤレス・ネットワークにおける基地局は、単一キャリア上においてアクセス端末（ＡＴ：Access Terminal ）からの情報を送受信することができる。例えば、キャリアは、ワイヤレス・ローカル・エリア・ネットワーク、符号分割多元接続（ＣＤＭＡ：Code Division Multiple Access ）ネットワークのようなワイヤレス・ワイド・エリア・ネットワーク、または時分割多元接続（ＴＤＭＡ：Time Division Multiple Access ）ネットワーク、あるいはその他のいずれかのワイヤレス・ネットワーク上で固定の帯域幅を占有するチャネルとすることができる。生憎、単一キャリアの使用には限界があり得る。例えば、単一キャリアは、データを送信可能な速度に限界がある可能性があり、利用可能な帯域幅に限界がある可能性があり、あるいはその他の制限が生ずる可能性がある。
【０００４】
送信キャリアの数を複数のキャリアに増加することが可能な場合もある。つまり、アクセス端末に対する送信に必要な資源が増加した場合、用いるキャリアを増加させることができる。このようなシステムでは、指定されたキャリア毎に、各アクセス端末に一意的な識別子を割り当てる。すると、アクセス端末は、割り当てられたキャリア上において少なくとも１つのチャネルを監視し、当該キャリアに対応するその一意的な識別子を求め、データまたは制御情報を受信しようとする。このようなチャネルの例には、順方向トラフィック・チャネル（Ｆ−ＴＣＨ：Forward Traffic Channel ）、順方向パケット・データ・チャネル（Ｆ−ＰＤＣＨ：Forward Packet Data Channel ）、高速ダウンリンク共有チャネル（ＨＳ−ＤＳＣＨ：High Speed Downlink Shared Channel）、Ｆ−ＴＣＨのプリアンブル、順方向パケット・データ制御チャネル（Ｆ−ＰＤＣＣＨ：Forward Packet Data Control Channel ）、高速ダウンリンク共有制御チャネル（ＨＳ−ＤＳＣＣＨ：High Speed Downlink Shared Control Channel）等を含むことができる。各キャリア上で利用可能な一意的な識別子の数には限界があり、このためサービスを提供できるアクセス端末の総数が限定される。単一キャリア・システムにおいても、利用可能な一意的な識別子よりも、サービスを要求するアクセス端末の方が多い場合がある。
【発明の開示】
【発明が解決しようとする課題】
【０００５】
したがって、既存の一意的な識別子の数を超える台数のアクセス端末の集団にサービスを提供するための方法および装置が求められている。
【発明を実施するための最良の形態】
【０００６】
以下に、図１から図４を参照しながら、本発明の具体的な実施形態を開示する。説明および図示の双方は、理解を深めることを目的に起草されている。例えば、図面の要素の一部は、その寸法が他の要素に対して誇張されている場合もあり、周知の要素については、それらが商業的に成功する実施には有効または必要でさえあっても、図示しないことにより、実施形態の説明が阻害されずに一層明確に行われるようにした。図示および説明の双方における簡素性および明確性は、当技術分野において既に周知であることに鑑み、当業者が本発明を行い、使用し、最良に実用化することを効果的に可能とすることを目的としている。本発明の技術思想および範囲から逸脱することなく、以下に記載する具体的な実施形態には種々の修正および変更も可能であることは、当業者には認められよう。したがって、明細書および図面は、限定的でも網羅的でもなく、例示および一例として見なすこととし、以下に記載する具体的な実施形態に対するこのような修正は全て、本発明の範囲に含まれることを意図するものとする。
【０００７】
図１は、本発明の多数の実施形態によるシステム１００のブロック図の一例である。システム１００は、ネットワーク・コントローラ１４０、ネットワーク１１０、ならびに１つ以上の端末１２０および１３０を含む。端末１２０および１３０は、ワイヤレス受信機、ワイヤレス電話機、セルラ電話機、携帯情報端末、ページャ、パーソナル・コンピュータ、移動通信デバイス、あるいはワイヤレス・ネットワーク上で通信信号を送受信可能なその他のいずれかのデバイスというような、ワイヤレス通信デバイスとすることができる。
【０００８】
実施形態の一例では、ネットワーク・コントローラ１４０はネットワーク１１０に接続されており、演算装置（図示せず）、および、例えば、ネットワーク１１０と通信するためのネットワーク・インターフェース（図示せず）を備えている。コントローラ１４０は、基地局、無線ネットワーク・コントローラ、またはネットワーク１１０上のいずれかの場所に配置することができる。ネットワーク１１０は、ワイヤレス信号を送受信可能であれば、いずれの形式のネットワークでも含むことができる。例えば、ネットワーク１１０は、ワイヤレス電気通信ネットワーク、セルラ電話ネットワーク、衛星通信ネットワーク、およびその他の同様の通信システムを含むことができる。更に、ネットワーク１１０は、１系統よりも多いネットワークを含むこともでき、複数の異なる形式のネットワークを含むこともできる。つまり、ネットワーク１１０は、複数のデータ・ネットワーク、複数の電気通信ネットワーク、データおよび電気通信ネットワークの組み合わせ、ならびに通信信号を送受信可能なその他の同様の通信システムを含むことができる。
【０００９】
動作中、ネットワーク・コントローラ１４０は、少なくとも１つの一意的な識別子、および一意的な識別子がワイヤレス受信機１２０に対して指定したキャリア毎に有効となる少なくとも１つの対応するタイム・スロットを確立することができ、その際、少なくとも１つの一意的な識別子、および一意的な識別子がワイヤレス受信機１２０に対して指定したキャリア毎に有効となる少なくとも１つの対応するタイム・スロットを決定し、一意的な識別子、タイム・スロット、およびキャリアの指示をワイヤレス受信機１２０に送る。ネットワーク・コントローラ１４０は、基地局に配置可能であり、１ｘＥＶ−ＤＯにおけるトラフィック・チャネル指定メッセージのような、レイヤ３シグナリング・メッセージを用いて指示を送ることができる。割り当てられたキャリアの識別は、永続的にワイヤレス受信機において保存され、レイヤ３メッセージを用いて送信し、主要キャリアに基づいた規則を用いて判定し、あるいはその他のいずれの方法でも割り当てることができる。割り当てられたキャリアが１つ以上あることが可能であり、キャリアは固定帯域幅を占有するチャネルとすることができる。
【００１０】
各受信機のタイム・スロットは、ほぼ同数のワイヤレス受信機が各タイム・スロットに割り当てられるように選択し、割り当てられるタイム・スロットが、割り当てられる各キャリア上で同一であり、ワイヤレス受信機が、例えば、タイム・スロットの合間には受信機が電力節約モードに入り、機能性を低下させることができるようにする。加えて、割り当てられるタイム・スロットは、割り当てられるキャリア毎に異なってもよく、所定のまたは不規則な割り当てに基づいても、あるいは他のいずれの技法を用いてもよい。受信機毎に割り当てられるタイム・スロットの数は、ワイヤレス受信機の処理能力に応じて、ワイヤレス受信機の用途における遅延の制約に応じて、ワイヤレス受信機に対するサービス品質の制約に応じて、利用可能なタイム・スロットの数に応じて、またはその他のいずれかの技法を用いて選択することができる。例えば、ワイヤレス受信機がボイス・オーバー・インターネット・プロトコル（ＶｏＩＰ：Voice over Internet Protocol）セッションにある場合、割り当てられるタイム・スロット数を増大することができ、これによって、ＶｏＩＰにとっては重要である遅延を最少に抑えることができる。１つのタイム・スロットを１つ以上のキャリアに割り当てることもでき、そのタイム・スロット上における送信は、ワイヤレス受信機が受信する信号の品質に応じて、ネットワーク・コントローラによってスケジューリングすることができる。
【００１１】
タイム・スロット指示は、個々のタイム・スロット、タイム・スロットの一群、既知の期間のタイム・スロット番号、既知の期間のタイム・スロットの一群、またはその他のいずれかの指示とすることができる。
【００１２】
例えば、各端末１２０および１３０には、少なくとも１つの一意的な識別子と、当該一意的な識別子が割り当てられた各キャリアに対して有効である、少なくとも１つの対応するタイム・スロットとを割り当てることができる。割り当てられたタイム・スロット、一意的な識別子、およびキャリアは、Ｆ−ＴＣＨおよび対応する制御チャネルの送信または受信に先だって、トラフィック・チャネル割り当てメッセージのような、レイヤ３シグナリング・メッセージを用いて、端末１２０および１３０に通知することができる。Ｆ−ＴＣＨに対応する制御チャネルは、Ｆ−ＴＣＨに関する情報を搬送するために用いられるチャネルであればいずれでも可能である。制御チャネルは、異なるウォルシュ・コード上で、異なるタイム・スロットにおいて、Ｆ−ＴＣＨに対するプリアンブル等として送ってもよい。例えば、３ＧＰＰ２  １ｘＥＶ−ＤＶでは、Ｆ−ＴＣＨおよび制御チャネルは、それぞれ、Ｆ−ＰＤＣＨおよびＦ−ＰＤＣＣＨに対応する。３ＧＰＰ２  １ｘＥＶ−ＤＯでは、Ｆ−ＴＣＨおよび制御チャネルは、それぞれ、Ｆ−ＴＣＨおよびＴ−ＴＣＨのプリアンブルに対応する。３ＧＰＰでは、Ｆ−ＴＣＨおよび制御チャネルは、それぞれ、ＨＳ−ＤＳＣＨおよびＨＳ−ＤＳＣＣＨに対応する。他のシステムも、同様の信号を送るために、同様の対応するチャネルを有することができる。割り当てられたタイム・スロット、一意的な識別子、およびキャリアによって、端末１２０は、その一意的な識別子を求めるためにはどのタイム・スロットおよびキャリアを監視すればよいか知ることができる。端末には、割り当てられたキャリア毎に各一意的な識別子に対する１組のタイム・スロット全体が割り当てられていない場合もあるので、コントローラ１４０は、各キャリア上において多数の端末を同一の一意的な識別子に割り当てることができるが、割り当てられるタイム・スロットは異なることを条件が条件となる。
【００１３】
割り当てられた各キャリア上において少なくとも１つのタイム・スロットを一意的な識別子割り当てに追加することにより、１台よりも多い端末が同じ一意的な識別子を共有することが可能となる。これによって、一意的な識別子がタイム・スロット全てにわって有効である場合に可能なよりも多い端末を、各キャリアに割り当てることが可能となる。
【００１４】
図２は、本発明の多数の実施形態による、端末１２０または端末１３０のようなワイヤレス通信デバイス２００のブロック図の一例である。ワイヤレス通信デバイス２００は、筐体２１０、筐体２１０に結合されているコントローラ２２０、筐体２１０に結合されているオーディオ入力および出力回路２３０、筐体２１０に結合されているディスプレイ２４０、筐体２１０に結合されている送受信機２５０、筐体２１０に結合されているユーザ・インターフェース２６０、筐体２１０に結合されているメモリ２７０、ならびに筐体２１０および送受信機２５０に結合されているアンテナ２８０を含むことができる。また、ワイヤレス通信デバイス２００は、タイム・スロット・モニタ２９０も含むことができる。タイム・スロット・モニタ２９０は、コントローラ２２０に結合することができるし、コントローラ２２０内に位置することができるし、メモリ２７０内に位置することができるし、自律モジュールとすることができるし、ソフトウェアとすることができるし、ハードウェアとすることができるし、あるいはワイヤレス通信デバイス２００上のモジュールに有用であればその他のいずれのフォーマットにすることもできる。デバイス２００の処理構成要素の一部を、まとめて演算装置（図示せず）と呼ぶことができる。実施形態によっては、このような演算装置は、例えば、コントローラ２２０、メモリ２７０、および／またはタイム・スロット・モニタ２９０の一部または全てを含む場合もある。また、ワイヤレス通信デバイス２００は、外部データ通信デバイス、例えば、コンピュータに対してデータを受送信するためのデータ・インターフェース・デバイス２９４も含むことができる。
【００１５】
ディスプレイ２４０は、液晶ディスプレイ（ＬＣＤ：Liquid Crystal Display）、発光ダイオード（ＬＥＤ：Light Emitting Diode）ディスプレイ、プラズマ・ディスプレイ、または情報を表示するためのその他のいずれかの手段とすることができる。送受信機２５０は、送信機および／または受信機を含むことができる。オーディオ入力および出力回路２３０は、マイクロフォン、スピーカ、変換器、またはその他のいずれかのオーディオ入力および出力回路を含むことができる。ユーザ・インターフェース２６０は、キーパッド、ボタン、タッチ・パッド、ジョイスティック、追加のディスプレイ、またはユーザと電子デバイスとの間にインターフェースを設けるのに有用であればその他のいずれのデバイスでも含むことができる。メモリ２７０は、ランダム・アクセス・メモリ、リード・オンリ・メモリ、光メモリ、加入者一致モジュール・メモリ(subscriber identity module memory) 、またはワイヤレス通信デバイスに結合できるのであればその他のいずれのメモリでも含むことができる。
【００１６】
動作中、コントローラ２２０は、ワイヤレス通信デバイスの動作を制御することができる。送受信機２５０は、割り当てられた各キャリア毎の少なくとも１つの一意的な識別子および少なくとも１つの対応するタイム・スロットの指示を送信機から受信するように形成された受信機を含むことができる。例えば、指示は、トラフィック・チャネル割り当てメッセージのような、レイヤ３シグナリング・メッセージ内において受信することができる。タイム・スロット・モニタ２９０は、割り当てられた各キャリア上のタイム・スロットのみを監視して、当該タイム・スロットおよびキャリアに対応する一意的な識別子を求めることができる。
【００１７】
例えば、タイム・スロット・モニタ２９０は、割り当てられた各キャリア上でこれらのタイム・スロットを監視して、対応する一意的な識別子を求めることができる。一意的な識別子は、移動通信デバイスまたはアクセス端末識別番号、加入者身分証、あるいはチャネルまたはキャリア上において一意的に端末を識別するために用いることができるのであればその他のいずれの識別子でも可能である。例えば、一意的な識別子は、媒体アクセス制御インデックス（ＭＡＣインデックス）とすることができ、割り当てられた各キャリア上および各タイム・スロット内では、端末には異なる一意的な識別子があるとよい。そして、コントローラ２２０は割り当てられた一意的な識別子が割り当てられたキャリア毎に見出されたタイム・スロットにおいて、パケットまたはその他の形態のデータまたは制御情報をデコードするか、あるいはそれ以外の方法で処理することができる。例えば、端末１２０は、各割り当てられたキャリア上において割り当てられたタイム・スロットにおいて、順方向トラフィック・チャネル（Ｆ−ＴＣＨ）のプリアンブルを監視し、順方向トラフィック・チャネル（Ｆ−ＴＣＨ）上の送信が端末１２０を対象としているか否かの判定を行うことができる。Ｆ−ＴＣＨプリアンブルの一意的な識別子が端末の一意的な識別子と一致した場合、端末１２０は、Ｆ−ＴＣＨをデコードしなくてはならないことが分かる。代替実施形態では、ワイヤレス受信機は、タイム・スロットには関係なく、割り当てられた一意的な識別子を有するパケットを受信し、次いで割り当てられたタイム・スロットにおいて受信されなかったパケットをいずれも破棄するが、この方法は、割り当てられたタイム・スロットに受信を限定するよりは効率が落ちる。
【００１８】
実施形態の中には、コントローラ２２０が、割り当てられた各キャリア上で割り当てられたタイム・スロットにおいて、制御チャネル、ブロードキャスト・チャネル、マルチユーザ・パケット等をデコードできる場合もある。更に、コントローラは、その一意的な識別子を発見した場合、このようなチャネルを更に処理することができる。一意的な識別子は、制御チャネル、ブロードキャスト・チャネル、マルチユーザ・パケット等の一部として埋め込まれている可能性がある。別の実施形態では、コントローラ２２０は、制御チャネル、ブロードキャスト・チャネル、マルチユーザ・パケット等を、割り当てられた各キャリア上のあらゆるタイム・スロットにおいて、デコードするか、あるいはその他の方法で処理することができる。例えば、場合によっては、制御チャネルが一人のユーザに専用ではない場合もあるので、コントローラはあらゆるタイム・スロットにおいて制御チャネルをデコードした方がよいこともある。
【００１９】
関連する実施形態では、ネットワーク・コントローラは、少なくとも１つのキャリア上において２つの一意的な識別子をワイヤレス送受信機に割り当ててもよい。一方の一意的な識別子を主要と見なし、少なくとも１つの対応するタイム・スロットを割り当てることができる。他方の一意的な識別子をバックアップと見なし、少なくとも１つのタイム・スロットにおいて割り当てることができる。例えば、バックアップの一意的な識別子は、必要な場合にのみ用いられるマルチユーザ・パケット内においてのみ有効とするとよい。更に、バックアップの一意的な識別子は、主要な一意的な識別子を得ることができない場合にのみ用いられるようにしてもよい。
【００２０】
図３は、本発明の多数の実施形態によるタイミング構造図の一例３００である。ここでは、１６個の連続するタイム・スロットの一群を４つのインタレース・パターンに分割する。インタレース・パターン１は、タイム・スロット１，５，９，１３であり、これらは塗りつぶされている。インタレース・パターン２は、タイム・スロット２，６，１０，１４である。インタレース・パターン３は、タイム・スロット３，７，１１，１５である。インタレース・パターン４は、タイム・スロット４，８，１２，１６である。ネットワーク・コントローラ１４０は、割り当てられた各キャリア上において、少なくとも１つの一意的な識別子および少なくとも１つの対応するインタレースをワイヤレス受信機１２０に割り当てることができる。例えば、ワイヤレス受信機１２０には、特定のキャリア上においてインタレース・パターン１上の一意的な識別子が割り当てられ、次いでタイム・スロット１，５，９，１３を監視して、当該キャリア上においてその一意的な識別子を求める。割り当てられた各キャリアにおいて、一意的な識別子が割り当てられていない場合、全てのインタレース・パターンを無視してもよい。ワイヤレス受信機１２０に対するインタレース・パターンの割り当てを示す１つの技法は、トラフィック・チャネル割り当てメッセージのようなレイヤ３シグナリング・メッセージにおいて、追加の２ビット・フィールドを含ませることである。ビット００は、第１インタレース・パターンを示し、０１は第２インタレース・パターン、１０は第３インタレース・パターン、そして１１は第４インタレース・パターンを示す。ビットのインタレース・パターンに対するマッピングは、他のいずれでも用いることができる。１つよりも多い一意的な識別子が特定のキャリア上においてワイヤレス受信機１２０に割り当てられている場合、一意的な識別子および対応するインタレース・パターンをレイヤ３シグナリング・メッセージ内に含ませることができる。別の実施形態では、一意的な識別子は、数個の割り当てられたインタレース・パターン間で同一とすることができる。ここでは、４ビット・フィールドを用いて、一意的な識別子が有効であるインタレースを示すことができる。この４ビット・フィールドにおけるＮ番目のビットの１は、一意的な識別子がＮ番目のインタレース・パターンにおいて有効であることを示し、一方０は、一意的な識別子がそのインタレースにおいて有効でないことを示す。例えば、パターン０１１０は、一意的な識別子が第２および第３インタレース・パターンにおいて有効であることを示す。更に一般的には、可能なタイム・スロットまたはタイム・スロットの一群毎に１ビット・フィールドを設け、１は、一意的な識別子が当該タイム・スロットまたはタイム・スロットの一群において有効であることを示すことができ、０は、一意的な識別子が、当該タイム・スロットまたはタイム・スロットの一群において有効でないことを示す。
【００２１】
通例、逆リンク電力制御および混成自動反復要求（ＨＡＲＱ：Hybrid Automatic Repeat Request)に対して順方向リンク上で用いられる一意的な識別子、および順方向リンク・トラフィック送信のための一意的な識別子は同一である。順方向リンク・トラフィック送信のために、１つよりも多いワイヤレス受信機１２０に同じ一意的な識別子が（異なるタイム・スロット内において）割り当てられる場合、逆方向リンク電力制御およびＨＡＲＱに対する一意的な識別子に関して、何らかの曖昧さが生ずる潜在的な可能性がある。補償のために、各ワイヤレス受信機１２０には、逆方向リンク電力制御およびＨＡＲＱのために、少なくとも１つの一意的な識別子、少なくとも１つの対応するタイム・スロット、ならびに少なくとも１つの対応するキャリアが割り当てられる。尚、これらの電力制御およびＨＡＲＱ割り当ての各々は、順方向トラフィック送信のために割り当てられるものとは異なる可能性があることを注記しておく。例えば、ワイヤレス受信機には、順方向トラフィック送信のために、キャリア３上では一意的な識別子１３およびインタレース・パターン１が割り当てられ、キャリア９上では一意的な識別子１５およびインタレース・パターン２が割り当てられると仮定する。同じワイヤレス受信機に、その逆リンク電力制御および逆リンクＨＡＲＱ情報のためには、キャリア３上で一意的な識別子１９および全てのインタレース・パターンを割り当てることができる。例えば、機器ハードウェアの背面を通じて接続されているプロセッサ間で転送されるデータ量を削減するために、逆方向リンク電力制御およびＨＡＲＱのために用いられる順方向リンクは、ワイヤレス受信機１２０が送信するために用いる周波数分割二重（ＦＤＤ：Frequency Division Duplex ）対のキャリアとすることができる。また、ネットワーク・コントローラが、逆リンク・オフセットを割り当ててもよいことも考えられる。このオフセットは、逆リンク・スロットの一群の送信時間、および順方向リンク上で送られる逆リンク電力制御情報に付随する時間を規定する相対時間である。この割り当てを行うと、逆リンク電力制御コマンドは、順方向トラフィック送信のために割り当てられているインタレースにおいて到達し、したがって、ワイヤレス受信機によって受信されるようになる。
【００２２】
図４は、本発明の多数の実施形態によるシステムの動作を示すフローチャートの一例４００である。ステップ４１０において、フローチャートは開始される。ステップ４２０において、送信機コントローラが、受信機に対して、一意的な識別子（複数の識別子）、ならびに対応するタイム・スロット（複数のタイム・スロット）およびキャリア（複数のキャリア）を決定する。ステップ４３０において、送信機は、前記一意的な識別子（複数の識別子）、タイム・スロット（複数のタイム・スロット）、およびキャリア（複数のキャリア）を受信機に送信する。ステップ４４０において、受信機は、前記一意的な識別子（複数の識別子）、タイム・スロット（複数のタイム・スロット）、およびキャリア（複数のキャリア）の指示を送信機から受信する。ステップ４５０において、受信機は、割り当てられた各キャリア上においてこれらのタイム・スロットのみを監視し、その一意的な識別子を求める。ステップ４６０において、フローチャート４００は終了する。
【００２３】
この開示の方法は、好ましくは、プログラミングされたプロセッサ上で実施される。しかしながら、コントローラ、フローチャート、およびモジュールも、汎用または特殊目的コンピュータ、プログラミングされたマイクロプロセッサまたはマイクロコントローラ、ならびに周辺集積回路エレメント、ＡＳＩＣ、あるいはその他の集積回路、ハードウェア電子回路、またはディスクリート・エレメント回路のような論理回路、ＰＬＤ，ＰＬＡ，ＦＰＧＡまたはＰＡＬのようなプログラム可能な論理デバイス等において実施され得る。一般に、有限状態機械が常駐するいずれのデバイスでも、本開示のプロセッサ機能を実施するために用いられ得る。
【００２４】
本発明の具体的な実施形態に関して、効果、その他の利点、および問題に対する解決手段について説明した。しかしながら、効果、利点、問題に対する解法、およびかかる効果、利点、または解法をも生じさせる、あるいは一層顕著にすることができるあらゆる要素（複数の要素）は、いずれのまたは全ての請求項の重要な、必要な、あるいは本質的な特徴または要素として解釈しないこととする。ここで用いる場合そして添付した特許請求の範囲では、「備える」、「備えている」、またはそのいずれの変形も、非排他的包含を含むことを意図しており、要素のリストを備えているプロセス、方法、物品、または装置が、これらの要素のみを含むのではなく、明示的にリストされていない、あるいはかかるプロセス、方法、物品、または装置に固有のその他の要素を含み得るものとする。
【００２５】
ここで用いる場合、複数という用語は、２または２より多いことを定義するものとする。ここで用いる場合、他のという用語は、少なくとも第２以降であることを定義するものとする。ここで用いる場合、含むおよび／または有するという用語は、備える（即ち、オープン・ランゲージ）と同様であると定義するものとする。ここで用いる場合、結合されたという用語は、接続と同様であると定義するものとするが、必ずしも直接的とは限らず、更に必ずしも機械的または電気的であるとは限らない。ここで用いる場合、プログラム、コンピュータ・プログラム、およびコンピュータ命令という用語は、コンピュータ・システム上での実行のために設計された一連の命令と定義するものとする。プログラム、またはコンピュータ・プログラムは、サブルーチン、関数、手順、オブジェクト・メソッド、オブジェクト実施、実行可能アプリケーション、アプレット、サーブレット(servlet) 、共有ライブラリ／ダイナミック・ロード・ライブラリ、ソース・コード、オブジェクト・コード、および／またはアセンブリ・コードを含むことができるが、これらに限定される訳ではない。
【図面の簡単な説明】
【００２６】
【図１】本発明の多数の実施形態によるシステムのブロック図の一例。
【図２】本発明の多数の実施形態によるワイヤレス通信デバイスのブロック図の一例。
【図３】本発明の多数の実施形態によるタイミング構造図の一例。
【図４】本発明の多数の実施形態によるシステムの動作を示すフローチャートの一例。
【図１】
2006345525.tif 000003
【図２】
2006345525.tif 000004
【図４】
2006345525.tif 000005
【図３】
2006345525.tif 000006
【外国語明細書】
2006345525.tif 000007
2006345525.tif 000008
2006345525.tif 000009
2006345525.tif 000010
2006345525.tif 000011
2006345525.tif 000012
2006345525.tif 000013
2006345525.tif 000014
2006345525.tif 000015
2006345525.tif 000016
2006345525.tif 000017
2006345525.tif 000018
2006345525.tif 000019
2006345525.tif 000020
2006345525.tif 000021
2006345525.tif 000022
2006345525.tif 000023
2006345525.tif 000024